【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
複数の演出手段を備えた遊技台であって、
前記複数の演出手段のうちの一つは、第一の演出手段であり、
前記複数の演出手段のうちの一つは、第二の演出手段であり、
前記複数の演出手段のうちの一つは、第三の演出手段であり、
前記第一の演出手段は、移動動作を実行可能な手段であり、
前記第二の演出手段は、発光動作を実行可能な手段であり、
前記第一の演出手段は、検出手段が設けられた手段であり、
前記検出手段は、発光部を含んで構成された手段であり、
前記検出手段は、受光部を含んで構成された手段であり、
前記検出手段は、被検出体を検出可能な手段であり、
前記検出手段は、第一の状態である場合に、前記受光部が前記発光部からの光を受光不可能となる手段であり、
前記検出手段は、第二の状態である場合に、前記受光部が前記発光部からの光を受光可能となる手段であり、
前記第二の演出手段は、前方に向かって光を出射可能な手段であり、
前記第一の演出手段は、前記第二の演出手段の前記前方に位置することが可能な手段であり、
前記第一の演出手段の一部は、遮光手段であり、
前記遮光手段は、前記第一の演出手段の前記移動動作に伴って移動可能な手段であり、
前記遮光手段は、前記第一の状態では、前記第二の演出手段と前記受光部との間に位置する手段であり、
前記検出手段は、カバー体を含んで構成された手段であり、
前記遮光手段は、前記カバー体の少なくとも一部であり、
前記発光部から前記受光部へ向かう光の向きは、前記前方とは異なる向きであり、
前記発光部は、前記受光部よりも前記前方に設けられた発光部であり、
前記第三の演出手段は、前記第一の演出手段に設けられた手段であり、
前記第三の演出手段の少なくとも一部が、前記第一の演出手段から遠ざかる動作を実行する場合がある、
ことを特徴とする遊技台。
【請求項２】
請求項１に記載の遊技台であって、
前記第三の演出手段の少なくとも一部が、前記第一の演出手段に近づく動作を実行する場合がある、
ことを特徴とする遊技台。
【請求項３】
請求項１又は請求項２に記載の遊技台であって、
前記遮光手段は、前記第二の状態では、前記第二の演出手段と前記受光部との間に位置する手段であり、
前記第一の状態とは、前記被検出体が前記受光部と前記発光部との間に位置する状態であり、
前記第二の状態とは、前記被検出体が前記受光部と前記発光部との間に位置しない状態である、
ことを特徴とする遊技台。
【請求項４】
請求項１乃至請求項３のいずれか一項に記載の遊技台であって、
前記検出手段は、フォトセンサである、
ことを特徴とする遊技台。
【請求項５】
請求項１乃至請求項４のいずれか一項に記載の遊技台であって、
前記第二の演出手段は、画像表示を実行可能な手段である、
ことを特徴とする遊技台。
【請求項６】
請求項１乃至請求項５のいずれか一項に記載の遊技台であって、
前記第二の演出手段は、複数の画像表示のうちの何れかの画像表示を実行可能な手段であり、
前記複数の画像表示のうちの一つは、第一の画像表示であり、
前記第一の演出手段は、第一の期間において、前記第一の画像表示の一部を前方から覆うことが可能な手段であり、
前記第一の期間とは、前記第一の演出手段の前記移動動作の動作期間のうちの一部の期間のことである、
ことを特徴とする遊技台。
【請求項７】
請求項１乃至請求項６のいずれか一項に記載の遊技台であって、
前記遊技台は、スロットマシンである、
ことを特徴とする遊技台。
【請求項８】
請求項１乃至請求項６のいずれか一項に記載の遊技台であって、
前記遊技台は、ぱちんこ機である、
ことを特徴とする遊技台。
【手続補正２】
【補正対象書類名】明細書
【補正対象項目名】０００４
【補正方法】変更
【補正の内容】
【０００４】
しかし、従来の遊技台では、移動動作が可能な可動体について改良の余地がある。
【手続補正３】
【補正対象書類名】明細書
【補正対象項目名】０００５
【補正方法】変更
【補正の内容】
【０００５】
本発明の目的は、可動体に特徴を持った遊技台を提供することにある。
【手続補正４】
【補正対象書類名】明細書
【補正対象項目名】０００６
【補正方法】変更
【補正の内容】
【０００６】
本発明に係る遊技台は、複数の演出手段を備えた遊技台であって、前記複数の演出手段のうちの一つは、第一の演出手段であり、前記複数の演出手段のうちの一つは、第二の演出手段であり、前記複数の演出手段のうちの一つは、第三の演出手段であり、前記第一の演出手段は、移動動作を実行可能な手段であり、前記第二の演出手段は、発光動作を実行可能な手段であり、前記第一の演出手段は、検出手段が設けられた手段であり、前記検出手段は、発光部を含んで構成された手段であり、前記検出手段は、受光部を含んで構成された手段であり、前記検出手段は、被検出体を検出可能な手段であり、前記検出手段は、第一の状態である場合に、前記受光部が前記発光部からの光を受光不可能となる手段であり、前記検出手段は、第二の状態である場合に、前記受光部が前記発光部からの光を受光可能となる手段であり、前記第二の演出手段は、前方に向かって光を出射可能な手段であり、前記第一の演出手段は、前記第二の演出手段の前記前方に位置することが可能な手段であり、前記第一の演出手段の一部は、遮光手段であり、前記遮光手段は、前記第一の演出手段の前記移動動作に伴って移動可能な手段であり、前記遮光手段は、前記第一の状態では、前記第二の演出手段と前記受光部との間に位置する手段であり、前記検出手段は、カバー体を含んで構成された手段であり、前記遮光手段は、前記カバー体の少なくとも一部であり、前記発光部から前記受光部へ向かう光の向きは、前記前方とは異なる向きであり、前記発光部は、前記受光部よりも前記前方に設けられた発光部であり、前記第三の演出手段は、前記第一の演出手段に設けられた手段であり、前記第三の演出手段の少なくとも一部が、前記第一の演出手段から遠ざかる動作を実行する場合がある、ことを特徴とする遊技台である。
【手続補正５】
【補正対象書類名】明細書
【補正対象項目名】０００７
【補正方法】変更
【補正の内容】
【０００７】
本発明によれば、可動体に特徴を持った遊技台を実現できる。
【手続補正６】
【補正対象書類名】明細書
【補正対象項目名】３１７９
【補正方法】変更
【補正の内容】
【３１７９】
本例に係る遊技台（例えば、スロットマシン、ぱちんこ機）は、複数の演出手段を備えた遊技台であって、前記複数の演出手段のうちの一つは、第一の演出手段（例えば、図２９７，図３０７，図３１２に示す演出可動体２２４の基部７０１等）であり、前記複数の演出手段のうちの一つは、第二の演出手段（例えば、図３０６に示す装飾図柄表示装置２０８等）であり、前記複数の演出手段のうちの一つは、第三の演出手段（例えば、図２９７，図３０７に示す可動物７０３等）であり、前記第一の演出手段は、移動動作を実行可能な手段であり、前記第二の演出手段は、発光動作を実行可能な手段であり、前記第一の演出手段は、検出手段（例えば、図２９７に示すフォトセンサ７４０、図３０７に示すフォトセンサ９００、図３１２に示すフォトセンサ９３０等のいずれか）が設けられた手段であり、前記検出手段は、発光部（例えば、図２９７に示す発光素子７４０ｃ、図３０７に示す発光素子９００ｂ、図３１２に示す発光素子９３０ｃ等のいずれか）を含んで構成された手段であり、前記検出手段は、受光部（例えば、図２９７に示す受光素子７４０ｄ、図３０７に示す受光素子９００ｃ、図３１２に示す受光素子９３０ｄ等）を含んで構成された手段であり、前記検出手段は、被検出体（例えば、図３１２に示す遮光片９３２等）を検出可能な手段であり、前記検出手段は、第一の状態である場合に、前記受光部が前記発光部からの光を受光不可能となる手段であり、前記検出手段は、第二の状態である場合に、前記受光部が前記発光部からの光を受光可能となる手段であり、前記第二の演出手段は、前方に向かって光を出射可能な手段であり、前記第一の演出手段は、前記第二の演出手段の前記前方に位置することが可能な手段であり、前記第一の演出手段の一部は、遮光手段（例えば、図２９３に示す壁部７４０ｂ、図３０７に示す壁部９００ｄ、図３０８に示す壁部９００、図３０８に示す壁部９００ｆ、図３０８に示す光不透過部材７６０等のいずれか）であり、前記遮光手段は、前記第一の演出手段の前記移動動作に伴って移動可能な手段であり、前記遮光手段は、前記第一の状態では、前記第二の演出手段と前記受光部との間（例えば、図２９７に示す受光素子７４０ｄより後方）に位置する手段であり、前記検出手段は、カバー体（例えば、図３０７に示すカバー体９００ａ等）を含んで構成された手段であり、前記遮光手段は、前記カバー体の少なくとも一部であり、前記発光部から前記受光部へ向かう光の向きは、前記前方とは異なる向きであり、前記発光部は、前記受光部よりも前記前方に設けられた発光部であり、前記第三の演出手段は、前記第一の演出手段に設けられた手段であり、前記第三の演出手段の少なくとも一部が、前記第一の演出手段から遠ざかる動作を実行する場合がある、ことを特徴とする遊技台である。
本発明によれば、可動体に特徴を持った遊技台を実現できる。
なお、前記第三の演出手段の少なくとも一部が、前記第一の演出手段に近づく動作を実行する場合があってもよい。また、前記遮光手段は、前記第二の状態では、前記第二の演出手段と前記受光部との間に位置する手段であり、前記第一の状態とは、前記被検出体が前記受光部と前記発光部との間に位置する状態であり、前記第二の状態とは、前記被検出体が前記受光部と前記発光部との間に位置しない状態であってもよい。また、前記検出手段は、フォトセンサであってもよい。また、前記第二の演出手段は、画像表示を実行可能な手段であってもよい。また、前記第二の演出手段は、複数の画像表示のうちの何れかの画像表示を実行可能な手段であり、前記複数の画像表示のうちの一つは、第一の画像表示（例えば、装飾図柄、予告表示、先読み予告表示等のいずれか）であり、前記第一の演出手段は、第一の期間において、前記第一の画像表示の一部を前方から覆うことが可能な手段であり、前記第一の期間とは、前記第一の演出手段の前記移動動作の動作期間のうちの一部の期間のことであってもよい。